(57)【要約】      （修正有）【課題】従来の止血バンドとは異なる役割をも果たし得る機能性止血バンドを提供する。【解決手段】医療用止血バンド１は，腕に巻くための十分な長さを有する第１のバンド２と，第１のバンド２に可逆的に結合することが可能な，第１のバンド２よりも短い長さを有する第２のバンド３と，からなっている。第１のバンド２は，当該第１のバンド２に可逆的に結合するための第１のバンド結合手段４と，医療用注射針又は留置針の動きを抑制するための第１の滑り止め手段５と，を備えている。第２のバンド３は，第１のバンド２と可逆的に結合するための第２のバンド結合手段６と，医療用注射針又は留置針の動きを抑制するための第２の滑り止め手段７と，を備えている。第２のバンド３は，第２の滑り止め手段７が第１の滑り止め手段５と対向することが可能な状態で，第１のバンド２に可逆的に結合される。【選択図】図３
2016000108.tif 000002
【特許請求の範囲】
【請求項１】
腕に巻くための十分な長さを有する第１のバンドと，前記第１のバンドに可逆的又は不可逆的に結合することが可能な，前記第１のバンドよりも短い長さを有する第２のバンドと，からなる医療用止血バンドであって，
前記第１のバンドは，当該第１のバンドと可逆的に結合するための第１のバンド結合手段と，医療用注射針又は留置針の動きを抑制するための第１の滑り止め手段と，を備え，
前記第２のバンドは，前記第１のバンドと可逆的又は不可逆的に結合するための第２のバンド結合手段と，医療用注射針又は留置針の動きを抑制するための第２の滑り止め手段と，を備えたことを特徴とする医療用止血バンド
【請求項２】
第２のバンドの長さが，第1のバンドの25〜75%であることを特徴とする請求項１に記載の医療用止血バンド
【請求項３】
第２のバンドが，第１のバンドと，第1の滑り止め手段を除く，任意の場所で可逆的結合が可能なことを特徴とする請求項１ないし２に記載の医療用止血バンド
【請求項４】
前記第２のバンドは，前記第２の滑り止め手段が前記第１の滑り止め手段と対向することが可能な状態で，前記第１のバンドに可逆的に結合することができることを特徴とする請求項１ないし３に記載の医療用止血バンド
【請求項５】
前記第２のバンドは，前記第２の滑り止め手段が前記第１のバンドと対向することが可能な状態で，前記第１のバンドに可逆的に結合され，
前記第１の滑り止め手段は，前記第１のバンドの，前記第２の滑り止め手段との対向面と反対側の面に設けられていることを特徴とする請求項１ないし３に記載の医療用止血バンド
【発明の詳細な説明】
【技術分野】
【０００１】
本発明は，医療用止血バンドに関する。
【背景技術】
【０００２】
医療現場において，止血バンドは様々な場面で用いられる。例えば，静脈注射や採血などの注射針を穿刺した後や，点滴や血液透析などの留置針を抜いた後などである。特に血液透析患者などでの動脈穿刺を行なった後は，止血バンドによる圧迫止血が必須である。このことから，止血バンドに関する技術が提案されている（特許文献１，２）。
【０００３】
また，血液透析患者などは，１週間に３〜４回の透析治療を行なう。そして，透析の際に留置を行なう針は通常の針よりも太く，確保できる血管の部位も限定的にならざるを得ない。そのため，治療のたびに穿刺部分を医療用フィルムで固定などしてしまうと，穿刺部分の皮膚がかぶれるなどしてしまう。
【先行技術文献】
【特許文献】
【０００４】
【特許文献１】特開平８−０００６３１号公報
【特許文献２】実用新案登録第３１５２６９９号公報
【発明の概要】
【発明が解決しようとする課題】
【０００５】
先行技術文献に開示されている止血バンドは，いずれも１枚の平面テープ状の止血バンドであり，腕に巻いて使用される。また，これらの止血バンドには，止血の際に利用できる圧迫部が設けられている。
【０００６】
しかるに，針を留置している状態ならともかく，抜いた後に直接止血バンドで圧迫すると，止血バンド自体が血液で汚れてしまう。そのため，使用後は，止血バンドに付着した血液を洗い流した上でオートクレーブ等の滅菌処理を行なわなければならなくなり，使用に比較的手間を要するといえる。また，止血バンドの一部に設けられた圧迫部によって穿刺部分の圧迫を行なわなければならず，このことが，かえって使い勝手を悪くしている要因の一つとなっている。
加えて，止血バンド自体を，単なる止血に留まらず，針を留置する際の安定化の手段として用いることができれば，穿刺部分への医療用フィルム等の貼付けを省略することができ，皮膚のかぶれ等の防止にもつながる。
【０００７】
上記事情を背景として，本発明では，従来の止血バンドとは異なる役割をも果たし得る機能性止血バンドの開発を課題とする。
【課題を解決するための手段】
【０００８】
本発明者は，鋭意研究の結果，単なる止血に留まらず，針を留置した際の固定手段としても使用し得る機能性止血バンドを着想し，本発明を完成させるに至った。
【０００９】
本発明に係る医療用止血バンドは，以下の構成からなる。
本発明の第一の構成は，腕に巻くための十分な長さを有する第１のバンドと，前記第１のバンドに可逆的又は不可逆的に結合することが可能な，前記第１のバンドよりも短い長さを有する第２のバンドとからなる医療用止血バンドであって，前記第１のバンドは，当該第１のバンドと可逆的に結合するための第１のバンド結合手段と，医療用注射針又は留置針の動きを抑制するための第１の滑り止め手段とを備え，前記第２のバンドは，前記第１のバンドと可逆的又は不可逆的に結合するための第２のバンド結合手段と，医療用注射針又は留置針の動きを抑制するための第２の滑り止め手段とを備えたことを特徴とする医療用止血バンドである。
【００１０】
本発明の医療用止血バンドの第一の構成によれば，穿刺部分に医療用綿布等をあてた後，第１のバンドを当該部分に巻き付けて固定することにより，圧迫止血を行なうことができる。
また，穿刺した際の医療用注射針又は留置針の筒状部分の動きを，滑り止め手段によって抑制すると共に，医療用注射針又は留置針の筒状部分に接続されたチューブを，第１のバンド又は第２のバンドに巻き付け，このチューブが巻き付けられたバンドを，バンド結合手段によって固定することにより，留置した針の安定化を図ることが可能となる。例えば，チューブの自重や足を引っ掛けるなどしてチューブが引っ張られたとしても，その力は穿刺部分には伝わらず，チューブを巻き付けた部分にのみ伝わることとなるため，針が抜けることはない。これにより，穿刺部分を医療用フィルム等で固定する必要がなくなるため，穿刺部分の皮膚のかぶれ等を防止することができる。
従って，本発明の医療用止血バンドの第一の構成によれば，従来の止血バンドとは異なる役割をも果たし得る機能性止血バンドを提供することができる。すなわち，単なる止血に留まらず，針の留置等を行う際の固定手段としても使用し得る機能性止血バンドを提供することができる。
【００１１】
本発明の第二の構成は，第２のバンドの長さが，第1のバンドの25〜75%であることを特徴とする第一の構成に記載の医療用止血バンドである。これにより，第２のバンドが長すぎず，短すぎない適度な長さとなるため，本発明の医療用止血バンドの取り扱い性が向上する効果を有する。
【００１２】
本発明の第三の構成は，第２のバンドが，第１のバンドと，第1の滑り止め手段を除く，任意の場所で可逆的結合が可能なことを特徴とする第一ないし第二の構成に記載の医療用止血バンドである。これにより，それぞれのバンドを分けて使うなどすることが可能となり，医療用止血バンドの取り扱い性を向上させる効果を有する。加えて，バンドを結合する部位を，滑り止め防止手段を除く，任意の場所で選択することが可能となり，医療用止血バンドの取り扱い性を向上させる効果を有する。
【００１３】
本発明の第四の構成は，第２のバンドは，前記第２の滑り止め手段が前記第１の滑り止め手段と対向することが可能な状態で，前記第１のバンドに可逆的に結合されることを特徴とする第一の構成に記載の医療用止血バンドである。
【００１４】
第四の構成によれば，穿刺した際の医療用注射針又は留置針の筒状部分を，第１の滑り止め手段と第２の滑り止め手段とによって挟み込むことが可能となり，その動きを確実に抑制することができることにより，針等が抜けることを防止することが可能となるため，安全性を向上させる効果を有する。
【００１５】
本発明の第五の構成は，第２のバンドは，前記第２の滑り止め手段が前記第１のバンドと対向することが可能な状態で，前記第１のバンドに可逆的に結合され，前記第１の滑り止め手段は，前記第１のバンドの，前記第２の滑り止め手段との対向面と反対側の面に設けられていることを特徴とする第一の構成に記載の医療用止血バンドである。
【００１６】
第五の構成によれば，医療用注射針又は留置針の筒状部分に接続されたチューブを，第２のバンドに巻き付け，第２の滑り止め手段によってその動きを確実に抑制することができる。
【発明の効果】
【００１７】
本発明によれば，従来の止血バンドとは異なる役割をも果たし得る機能性止血バンドを提供することができる。すなわち，本発明によれば，単なる止血に留まらず，例えば，針を留置した際の固定手段としても使用し得る機能性止血バンドを提供することができる。
【図面の簡単な説明】
【００１８】
【図１】本発明の実施の形態１における医療用止血バンドの構成を示す分解平面図
【図２】本発明の実施の形態１における医療用止血バンドの構成を示す分解側面図
【図３】本発明の実施の形態１における医療用止血バンドの構成を示す斜視図
【図４】本発明の実施の形態１における医療用止血バンドの使用方法を示す説明図
【図５】本発明の実施の形態２における医療用止血バンドの構成を示す分解平面図
【図６】本発明の実施の形態２における医療用止血バンドの構成を示す分解側面図
【図７】本発明の実施の形態２における医療用止血バンドの構成を示す斜視図
【図８】本発明の実施の形態２における医療用止血バンドの使用方法を示す説明図
【図９】本発明の実施の形態３における医療用止血バンドの構成を示す分解平面図
【図１０】本発明の実施の形態３における医療用止血バンドの構成を示す分解側面図
【図１１】本発明の実施の形態３における医療用止血バンドの構成を示す分解斜視図
【図１２】本発明の実施の形態３における医療用止血バンドの使用方法を示す説明図
【図１３】本発明の医療用止血バンドの試作例を示した図
【発明を実施するための形態】
【００１９】
以下，好適な実施の形態を用いて本発明をさらに具体的に説明する。但し，下記の実施の形態は本発明を具現化した例に過ぎず，本発明はこれに限定されるものではない。
【００２０】
［医療用止血バンドの概要］
本発明の医療用止血バンドは，第１のバンドと第２のバンドの２つの部材を必須の構成要素とする。そして，この医療用止血バンドは，第１のバンドと第２のバンドが可逆的又は不可逆的な結合手段により一体となって使用される。本発明の医療用止血バンドは，第１のバンドと第２のバンドを必須の構成要素とするが，これに限定する必要はなく，他の構成を備えても構わない。例えば，チューブの固定をさらに補助するための第３のバンドや固定具などである。
【００２１】
第１のバンドは，一つの目安として，腕に巻くための十分な長さと注射針の筒状部分を覆うための十分な幅とすればよい。このような長さならびに幅として，例えば，長さを20〜60cm，好ましくは30〜50cm程度，幅については2〜8cm程度とすればよい。
第２のバンドは，第１のバンドより短い長さであって，固定手段や滑り止め手段を備えられる程度の長さである限り特に限定する必要はないが，好ましくは，第１のバンドの25〜75％程度の長さとすることができる。これにより，第２のバンドが長すぎず，短すぎない適度な長さとなるため，本発明の医療用止血バンドの取り扱い性が向上する効果を有する。幅については，第1のバンドの幅以下とすればよく，第1のバンドの幅の60〜100%とすればよい。
【００２２】
可逆的結合手段は，特に限定する必要はなく，通常用いられる種々の可逆的結合手段を用いることができる。可逆的結合手段としては，例えば，面ファスナ（いわゆる“マジックテープ（登録商標）”）や嵌合式の固定部材等の結合手段などが挙げられる。
不可逆的結合手段は，特に限定する必要はなく，通常用いられる種々の不可逆的結合手段を用いることができる。不可逆的結合手段としては，例えば，縫い合わせたり，熱によって接着したりする等の結合手段などが挙げられる。
【００２３】
本発明の医療用止血バンドにおいて，可逆的結合手段を用いることが好ましい。これにより，それぞれのバンドを分けて使うなどすることが可能となり，医療用止血バンドの取り扱い性を向上させる効果を有する。
また，可逆的結合手段として，面ファスナを用いることが好ましい。これにより，バンドを結合する部位を任意に選択することが可能となり，医療用止血バンドの取り扱い性を向上させる効果を有する。
【００２４】
本発明の医療用止血バンドにおいては，穿刺部分に医療用綿布を当てた後，第１のバンドを当該部分に巻き付けて固定することにより，圧迫止血を行なうことができる。
【００２５】
また，本発明の医療用止血バンドは，注射針や留置針等を留置する際の安定化の手段として用いることも可能である。
すなわち，穿刺した際の注射針の筒状部分を，滑り止め手段によりその動きを抑制すると共に，注射針の筒状部分に接続されたチューブを，第１のバンド又は第２のバンドに巻き付ける。そして，このチューブが巻き付けられたバンドを，バンド結合手段によって固定することにより，留置した針の安定化を図ることが可能となる。例えば，チューブの自重やチューブに足を引っ掛けるなどしてチューブが引っ張られたとしても，その力は穿刺部分には伝わらず，チューブを巻き付けた部分にのみ伝わることとなるため，針が抜けることはない。これにより，穿刺部分を医療用フィルム等で固定する必要がなくなるため，穿刺部分の皮膚のかぶれ等を防止することができる。
滑り止め手段としては，特に限定されるものではなく，通常用いられる種々の滑り止め手段を用いることができる。滑り止め手段としては，例えば，天然ゴムシートやシリコーンゴムシートなどが挙げられる。
【００２６】
本発明において，第１のバンドの滑り止め手段と第２のバンドの滑り止め手段が向かい合う構成とすることが好ましい。これにより，注射針等の筒状部分を滑り止め手段で挟むことで，筒状部分の動きを確実に抑制することができるため，針等が抜けることを防止することが可能となり，止血バンドの安全性を向上させる効果を有する。このような態様としては，実施態様１の態様が挙げられる。
【００２７】
［実施形態１］
まず，本発明の実施の形態１における医療用止血バンドの構成について，図１〜図３を参照しながら説明する。
【００２８】
図１は，本発明の実施の形態１における医療用止血バンドの構成を示す分解平面図，図２は，当該医療用止血バンドの構成を示す分解側面図，図３は，当該医療用止血バンドの構成を示す斜視図である。
【００２９】
図１〜図３に示すように，本実施の形態の医療用止血バンド１は，腕に巻くための十分な長さを有する第１のバンド２と，第１のバンド２に可逆的に結合することが可能な，第１のバンド２よりも短い長さを有する第２のバンド３と，からなっている。
【００３０】
第１のバンド２は，当該第１のバンド２に可逆的に結合するための第１のバンド結合手段４と，医療用注射針又は留置針の動きを抑制するための第１の滑り止め手段５と，を備えている。
ここで，第１のバンド結合手段４としては，長方形状の面ファスナ（いわゆる“マジックテープ（登録商標）”）のオス材（フックテープ）が用いられており，当該第１のバンド結合手段４は，第１のバンド２の裏面の端部に固着されている。また，第１のバンド２の表面には，その全体に面ファスナのメス材（ループテープ）が固着されている。これにより，第１のバンド２を腕に巻き，第１のバンド結合手段４を第１のバンド２の表面に可逆的に結合して，第１のバンド２を腕に固定することができるようにされている。
従って，本実施の形態の医療用止血バンド１の構成によれば，穿刺部分に医療用綿布を当てた後，第１のバンド２を当該部分に巻き付けて固定することにより，圧迫止血を行なうことができる。
第１の滑り止め手段５としては，長方形状の天然ゴムシートが用いられており，当該第１の滑り止め手段５は，第１のバンド２の裏面の略中央部に固着されている。
【００３１】
第２のバンド３は，第１のバンド２と可逆的に結合するための第２のバンド結合手段６と，医療用注射針又は留置針の動きを抑制するための第２の滑り止め手段７と，を備えている。
ここで，第２のバンド結合手段６としては，長方形状の面ファスナのオス材（フックテープ）が用いられており，当該第２のバンド結合手段６は，第２のバンド２の表面の端部に固着されている。なお，第１のバンド２の裏面には，第１の滑り止め手段５に隣接して第２のバンド結合手段６と略同一形状の面ファスナのメス材（ループテープ）８が固着されている。これにより，第２のバンド結合手段６を面ファスナのメス材８に係止させて，第２のバンド３を，第１のバンド２に可逆的に結合することができるようにされている（図３参照）。そして，第２のバンド３を第１のバンド２に結合した状態において，第２の滑り止め手段７は，第１の滑り止め手段５と対向することが可能な状態となっている。
第２の滑り止め手段７としては，長方形状の天然ゴムシートが用いられており，当該第２の滑り止め手段７は，第２のバンド３の表面の略全体に固着されている。なお，第１の滑り止め手段５と第２の滑り止め手段７は，略同じ大きさである。
【００３２】
次に，本発明の実施の形態１における医療用止血バンドの使用方法について，図４をも参照しながら説明する。第１のバンド２を用いて圧迫止血を行なう方法は，上記した通りであるので，ここでは，医療用止血バンド１を用いて，留置した針の安定化を図る方法について説明する。
【００３３】
図４は，本発明の実施の形態１における医療用止血バンドの使用方法を示す説明図であり，下記の一連の流れにより使用を行う。
(1)  図３に示すように，第２のバンド結合手段６を面ファスナのメス材８に係止させて，第２のバンド３を，第１のバンド２に結合させておく。
(2)  図４（ａ）に示すように，患者の腕９の血管に注射針１０を穿刺する。
(3)  図４（ｂ）に示すように，第２のバンド３を，第２の滑り止め手段７を上に向けた状態で注射針１０の筒状部分１１の下に潜らせる（図４（ｂ）のＡ参照）。
(4)  注射針１０の筒状部分１１に接続されたチューブ１２を，第１のバンド２に何回か巻き付ける（図４（ｂ）のＢ参照）。
(5)  第１のバンド２を，患者の腕９に巻き（図４（ｂ）の矢印Ｃ１，Ｃ２参照），第１のバンド結合手段４を第１のバンド２の表面に可逆的に結合して，医療用止血バンド１を患者の腕９に固定する（図４（ｃ）参照）。このとき，穿刺した際の注射針１０の筒状部分１１は，第１の滑り止め手段５と第２の滑り止め手段７とによってサンドイッチされ，その動きが抑制された状態となっている。
【００３４】
上記のように，医療用止血バンド１を患者の腕９に固定した状態において，穿刺した際の注射針１０の筒状部分１１は，第１の滑り止め手段５と第２の滑り止め手段７とによってその動きが抑制され，注射針１０の筒状部分１１に接続されたチューブ１２は，第１のバンド２に巻き付けられている。このため，チューブの自重やチューブを引っ掛けるなどしてチューブ１２が引っ張られたとしても，その力は穿刺部分には伝わらず，チューブ１２を巻き付けた部分にのみ伝わることとなるため，注射針１０が抜けることはない。すなわち，本実施の形態の医療用止血バンド１を用いれば，留置した針の安定化を図ることが可能となる。そして，これにより，穿刺部分を医療用フィルム等で固定する必要がなくなるため，穿刺部分の皮膚のかぶれ等を防止することができる。
【００３５】
以上のように，本実施の形態の医療用止血バンド１の構成によれば，従来の止血バンドとは異なる役割をも果たし得る機能性止血バンドを提供することができる。すなわち，本実施の形態の医療用止血バンド１の構成によれば，単なる止血に留まらず，針を留置した際の固定手段としても使用し得る機能性止血バンドを提供することができる。
【００３６】
なお，本実施の形態においては，第２のバンド３が第１のバンド２に可逆的に結合される場合を例に挙げて説明したが，本発明は必ずしもこのような構成に限定されるものではない。第２のバンド３は，第１のバンド２に不可逆的に結合されていてもよい。不可逆的結合手段としては，例えば，縫い合わせたり，熱によって接着したりする等の結合手段などを用いることができる。加えて，第1のバンドと第2のバンドが結合する位置についても一つの例に過ぎず，後述する実施態様２などのようにバンドの端部を結合部とすることもできるし，それ以外の任意の部位を結合部として選択することができる。
【００３７】
また，本実施の形態においては，可逆的結合手段が面ファスナである場合を例に挙げて説明したが，本発明は必ずしもこのような構成に限定されるものではない。可逆的結合手段としては，例えば，嵌合式の固定部材等の結合手段などを用いることができる。
【００３８】
［実施形態２］
次に，本発明の実施の形態２における医療用止血バンドの構成について，図５〜図７を参照しながら説明する。
【００３９】
図５は，本発明の実施の形態２における医療用止血バンドの構成を示す分解平面図，図６は，当該医療用止血バンドの構成を示す分解側面図，図７は，当該医療用止血バンドの構成を示す斜視図である。
【００４０】
図５〜図７に示すように，本実施の形態の医療用止血バンド１３は，腕に巻くための十分な長さを有する第１のバンド１４と，第１のバンド１４に可逆的に結合することが可能な，第１のバンド１４よりも短い長さを有する第２のバンド１５と，からなっている。
【００４１】
第１のバンド１４は，当該第１のバンド１４に可逆的に結合するための第１のバンド結合手段１６と，医療用注射針又は留置針の動きを抑制するための第１の滑り止め手段１７と，を備えている。
ここで，第１のバンド結合手段１６としては，長方形状の面ファスナのオス材（フックテープ）が用いられており，当該第１のバンド結合手段１６は，第１のバンド１４の裏面の一方の端部に固着されている。また，第１のバンド１４の表面には，その全体に面ファスナのメス材（ループテープ）が固着されている。これにより，第１のバンド１４を腕に巻き，第１のバンド結合手段１６を第１のバンド１４の表面に可逆的に結合して，第１のバンド１４を腕に固定することができるようにされている。
従って，本実施の形態の医療用止血バンド１３の構成によれば，穿刺部分に医療用綿布を当てた後，第１のバンド１４を当該部分に巻き付けて固定することにより，圧迫止血を行なうことができる。
第１の滑り止め手段１７としては，長方形状の天然ゴムシートが用いられており，当該第１の滑り止め手段１７は，第１のバンド１４の裏面の他方の端部に隣接する領域に固着されている。
【００４２】
第２のバンド１５は，第１のバンド１４と可逆的に結合するための第２のバンド結合手段１８と，医療用注射針又は留置針の動きを抑制するための第２の滑り止め手段１９と，を備えている。
ここで，第２のバンド結合手段１８としては，長方形状の面ファスナのオス材（フックテープ）が用いられており，当該第２のバンド結合手段１８は，第２のバンド１５の表面の端部に固着されている。なお，第１のバンド１４の裏面の他方の端部には，第２のバンド結合手段１８と略同一形状の面ファスナのメス材（ループテープ）２０が固着されている。これにより，第２のバンド結合手段１８を面ファスナのメス材２０に係止させて，第２のバンド１５を，第１のバンド１４に可逆的に結合することができるようにされている（図７参照）。そして，第２のバンド１５を第１のバンド１４に結合した状態において，第２の滑り止め手段１９は，第１の滑り止め手段１７と対向することが可能な状態となっている。
第２の滑り止め手段１９としては，長方形状の天然ゴムシートが用いられており，当該第２の滑り止め手段１９は，第２のバンド１５の表面の略全体に固着されている。なお，第１の滑り止め手段１７と第２の滑り止め手段１９は，略同じ大きさである。
【００４３】
次に，本発明の実施の形態２における医療用止血バンドの使用方法について，図８をも参照しながら説明する。第１のバンド１４を用いて圧迫止血を行なう方法は，上記した通りであるので，ここでは，医療用止血バンド１３を用いて，留置した針の安定化を図る方法について説明する。
【００４４】
図８は，本発明の実施の形態２における医療用止血バンドの使用方法を示す説明図であり，下記の一連の流れにより使用を行う。
(1)  図７に示すように，第２のバンド結合手段１８を面ファスナのメス材２０に係止させて，第２のバンド１５を，第１のバンド１４に結合させておく。
(2)  図８（ａ）に示すように，患者の腕９の血管に注射針１０を穿刺する。
(3)  図８（ｂ）に示すように，第２のバンド１５を，第２の滑り止め手段１９を上に向けた状態で注射針１０の筒状部分１１の下に潜らせる（図８（ｂ）のＤ参照）。
(4)  注射針１０の筒状部分１１に接続されたチューブ１２を，第１のバンド１４に何回か巻き付ける（図８（ｂ）のＥ参照）。
(5)  第１のバンド１４を，患者の腕９に巻き（図８（ｂ）の矢印Ｆ参照），第１のバンド結合手段１６を第１のバンド１４の表面に可逆的に結合して，医療用止血バンド１３を患者の腕９に固定する（図８（ｃ）参照）。このとき，穿刺した際の注射針１０の筒状部分１１は，第１の滑り止め手段１７と第２の滑り止め手段１９とによってサンドイッチされ，その動きが抑制された状態となっている。
【００４５】
上記のように，医療用止血バンド１３を患者の腕９に固定した状態において，穿刺した際の注射針１０の筒状部分１１は，第１の滑り止め手段１７と第２の滑り止め手段１９とによってその動きが抑制され，注射針１０の筒状部分１１に接続されたチューブ１２は，第１のバンド１４に巻き付けられている。このため，自重や引っ掛けるなどしてチューブ１２が引っ張られたとしても，その力は穿刺部分には伝わらず，チューブ１２を巻き付けた部分にのみ伝わることとなるため，注射針１０が抜けることはない。すなわち，本実施の形態の医療用止血バンド１３を用いれば，留置した針の安定化を図ることが可能となる。そして，これにより，穿刺部分を医療用フィルム等で固定する必要がなくなるため，穿刺部分の皮膚のかぶれ等を防止することができる。
【００４６】
以上のように，本実施の形態の医療用止血バンド１３の構成によれば，従来の止血バンドとは異なる役割をも果たし得る機能性止血バンドを提供することができる。すなわち，本実施の形態の医療用止血バンド１の構成によれば，単なる止血に留まらず，針を留置した際の固定手段としても使用し得る機能性止血バンドを提供することができる。
【００４７】
なお，本実施の形態においては，第２のバンド１５が第１のバンド１４に可逆的に結合される場合を例に挙げて説明したが，本発明は必ずしもこのような構成に限定されるものではない。第２のバンド１５は，第１のバンド１４に不可逆的に結合されていてもよい。不可逆的結合手段としては，例えば，縫い合わせたり，熱によって接着したりする等の結合手段などを用いることができる。
【００４８】
また，本実施の形態においては，可逆的結合手段が面ファスナである場合を例に挙げて説明したが，本発明は必ずしもこのような構成に限定されるものではない。可逆的結合手段としては，例えば，嵌合式の固定部材等の結合手段などを用いることができる。
【００４９】
［実施形態３］
次に，本発明の実施の形態３における医療用止血バンドの構成について，図９〜図１１を参照しながら説明する。
【００５０】
図９は，本発明の実施の形態３における医療用止血バンドの構成を示す分解平面図，図１０は，当該医療用止血バンドの構成を示す分解側面図，図１１は，当該医療用止血バンドの構成を示す分解斜視図である。
【００５１】
図９〜図１１に示すように，本実施の形態の医療用止血バンド２１は，腕に巻くための十分な長さを有する第１のバンド２２と，第１のバンド２２に可逆的に結合することが可能な，第１のバンド２２よりも短い長さを有する第２のバンド２３と，からなっている。
【００５２】
第１のバンド２２は，当該第１のバンド２２に可逆的に結合するための第１のバンド結合手段２４と，医療用注射針又は留置針の動きを抑制するための第１の滑り止め手段２５と，を備えている。
ここで，第１のバンド結合手段２４としては，長方形状の面ファスナのオス材（フックテープ）が用いられており，当該第１のバンド結合手段２４は，第１のバンド２２の裏面の一方の端部に固着されている。また，第１のバンド２２の表面には，その全体に面ファスナのメス材（ループテープ）が固着されている。これにより，第１のバンド２２を腕に巻き，第１のバンド結合手段２４を第１のバンド２２の表面に可逆的に結合して，第１のバンド２２を腕に固定することができるようにされている。
従って，本実施の形態の医療用止血バンド２１の構成によれば，穿刺部分に医療用綿布を当てた後，第１のバンド２２を当該部分に巻き付けて固定することにより，圧迫止血を行なうことができる。
第１の滑り止め手段２５としては，長方形状の天然ゴムシートが用いられており，当該第１の滑り止め手段２５は，第１のバンド２２の裏面の他方の端部に隣接する領域に固着されている。
【００５３】
第２のバンド２３は，第１のバンド２２と可逆的に結合するための第２のバンド結合手段２６ａ，２６ｂと，医療用注射針又は留置針の筒状部分に接続されたチューブ１２の動きを抑制するための第２の滑り止め手段２７と，を備えている。
ここで，第２のバンド結合手段２６ａ，２６ｂとしては，長方形状の面ファスナのオス材（フックテープ）が用いられており，当該第２のバンド結合手段２６ａ，２６ｂは，それぞれ第２のバンド２３の裏面の両端部に固着されている。なお，上記のように，第１のバンド２２の表面には，その全体に面ファスナのメス材（ループテープ）が固着されている。これにより，第２のバンド結合手段２６ａ，２６ｂを第１のバンド２２の表面に係止させて，第２のバンド２３を，第１のバンド２２に可逆的に結合することができるようにされている（図１０の両矢印Ｋ，Ｌ参照）。
第２の滑り止め手段２７としては，長方形状の天然ゴムシートが用いられており，当該第２の滑り止め手段２７は，第２のバンド２３の裏面の略全体に固着されている。従って，第２のバンド２３を第１のバンド２２に結合した状態において，第２の滑り止め手段２７は，第１のバンド２２の表面と対向した状態となる。
【００５４】
次に，本発明の実施の形態３における医療用止血バンドの使用方法について，図１２をも参照しながら説明する。第１のバンド２２を用いて圧迫止血を行なう方法は，上記した通りであるので，ここでは，医療用止血バンド２１を用いて，留置した針の安定化を図る方法について説明する。
【００５５】
図１２は，本発明の実施の形態３における医療用止血バンドの使用方法を示す説明図であり，下記の一連の流れにより使用を行う。
(1)  図１２（ａ）に示すように，患者の腕９の血管に注射針１０を穿刺する。
(2)  図１２（ｂ）に示すように，第１のバンド２２を患者の腕９に巻き，第１のバンド結合手段２４を第１のバンド２２の表面に可逆的に結合して，第１のバンド２２を患者の腕９に固定する（図１２（ｂ）のＧ参照）。このとき，注射針１０の筒状部分１１は，第１のバンド２２の裏面の第１の滑り止め手段２５によって押圧され，その動きが抑制された状態となっている。
(3)  第２のバンド結合手段２６ａを第１のバンド２２の表面に係止させて，第２のバンド２３の一端部を，第１のバンド２２に可逆的に結合する（図１２（ｂ）のＨ参照）。
(4)  注射針１０の筒状部分１１に接続されたチューブ１２を，第２のバンド２３に何回か巻き付ける（図１２（ｂ）のＩ参照）。
(5)  第２のバンド結合手段２６ｂを第１のバンド２２の表面に係止させて，第２のバンド２３の他端部を，第１のバンド２２に可逆的に結合する（図１２（ｂ）の矢印Ｊ，図１２（ｃ）参照）。このとき，チューブ１２は，第２のバンド２３に巻き付けられ，かつ，第２の滑り止め手段２７によってその動きが抑制された状態となっている。
【００５６】
上記のように，医療用止血バンド２１を患者の腕９に固定した状態において，穿刺した際の注射針１０の筒状部分１１は，第１の滑り止め手段２５によってその動きが抑制され，注射針１０の筒状部分１１に接続されたチューブ１２は，第２のバンド２３に巻き付けられ，かつ，第２の滑り止め手段２７によってその動きが抑制された状態となっている。このため，自重や引っ掛けるなどしてチューブ１２が引っ張られたとしても，その力は穿刺部分には伝わらず，チューブ１２を巻き付けた部分にのみ伝わることとなるため，注射針１０が抜けることはない。すなわち，本実施の形態の医療用止血バンド２１を用いれば，留置した針の安定化を図ることが可能となる。そして，これにより，穿刺部分を医療用フィルム等で固定する必要がなくなるため，穿刺部分の皮膚のかぶれ等を防止することができる。
【００５７】
以上のように，本実施の形態の医療用止血バンド２１の構成によれば，従来の止血バンドとは異なる役割をも果たし得る機能性止血バンドを提供することができる。すなわち，本実施の形態の医療用止血バンド１の構成によれば，単なる止血に留まらず，針を留置した際の固定手段としても使用し得る機能性止血バンドを提供することができる。
【００５８】
なお，本実施の形態においては，第２のバンド２３の両端が第１のバンド２２に可逆的に結合される場合を例に挙げて説明したが，本発明は必ずしもこのような構成に限定されるものではない。第２のバンド２３の一端は，第１のバンド２２に不可逆的に結合されていてもよい。不可逆的結合手段としては，例えば，縫い合わせたり，熱によって接着したりする等の結合手段などを用いることができる。
【００５９】
また，本実施の形態においては，可逆的結合手段が面ファスナである場合を例に挙げて説明したが，本発明は必ずしもこのような構成に限定されるものではない。可逆的結合手段としては，例えば，嵌合式の固定部材等の結合手段などを用いることができる。
【００６０】
また，図１３に本発明の試作例を示す。実施態様１に準じた構成となっており，第2のバンドが，第1のバンドのほぼ中央で可逆的に結合している例である。
【符号の説明】
【００６１】
１，１３，２１  医療用止血バンド
２，１４，２２  第１のバンド
３，１５，２３  第２のバンド
４，１６，２４  第１のバンド結合手段
５，１７，２５  第１の滑り止め手段
６，１８，２６ａ，２６ｂ  第２のバンド結合手段
７，１９，２７  第２の滑り止め手段
８，２０  面ファスナのメス材（ループテープ）
９  患者の腕
１０  注射針
１１  注射針の筒状部分
１２  チューブ
【図１】
2016000108.tif 000003
【図２】
2016000108.tif 000004
【図３】
2016000108.tif 000005
【図４】
2016000108.tif 000006
【図５】
2016000108.tif 000007
【図６】
2016000108.tif 000008
【図７】
2016000108.tif 000009
【図８】
2016000108.tif 000010
【図９】
2016000108.tif 000011
【図１０】
2016000108.tif 000012
【図１１】
2016000108.tif 000013
【図１２】
2016000108.tif 000014
【図１３】
2016000108.tif 000015